(57)【要約】【課題】ストラットとケーブルの交差部分やメインケーブルと境界ケーブルの接合部分に適用した場合であっても、力の伝達を明解にし、過度にボルトの締付力に依存することをなくすことができ、屋根架構の信頼性を高め、且つ合理的な設計を可能にする屋根架構用ケーブルサドルを提供する。【解決手段】ケーブル４を挿通するための貫通孔が形成されたサドル本体２０と、このサドル本体２０の貫通孔の両開口部の外側にそれぞれ、ボルトによって着脱可能に取り付けられた定着板２１とを備え、ケーブル４の貫通孔の開口部から外側に延出した部分をボルトの締め付けとともにサドル本体２０と定着板２１で挟み込んで定着させるように構成する。【選択図】図２
2011017191.tif 000002
【特許請求の範囲】
【請求項１】
ケーブルの張力を利用して支持するように構成した屋根架構に用いるケーブルサドルあって、
ケーブルを挿通するための貫通孔が形成されたサドル本体と、該サドル本体の前記貫通孔の両開口部の外側にそれぞれ、ボルトによって着脱可能に取り付けられた定着板とを備え、
ケーブルの前記貫通孔の開口部から外側に延出した部分を前記ボルトの締め付けとともに前記サドル本体と前記定着板で挟み込んで定着させるように構成されていることを特徴とする屋根架構用ケーブルサドル。
【発明の詳細な説明】
【技術分野】
【０００１】
本発明は、ケーブルの張力を利用して支持するように構成した屋根架構に用いるケーブルサドルに関する。
【背景技術】
【０００２】
従来、例えばスタジアム、体育館、展示ホールなどの建築物（大スパン建築物）には、柱の使用を抑え、大空間を確保するために、トラス構造、張弦梁構造、張弦ドーム構造などの屋根架構を採用して構築したものがある（例えば、特許文献１参照）。
【０００３】
そして、例えば、張弦梁構造（張弦ドーム構造）の屋根架構１は、図１３及び図１４に示すように、屋根フレーム２、ストラット（束柱）３、ケーブル４（メインケーブル４ａや境界ケーブル４ｂ）などを備え、ケーブル４に導入した張力を利用して支持するように構成されている。
【０００４】
また、ストラット３とケーブル４の交差部分Ｓ１には、ケーブル４を偏心及び／又は接合するためのケーブルサドル（接合金物）が設けられている。そして、この交差部分Ｓ１に設けられるケーブルサドル５には、図１５に示すように、ストラット３の下端に取り付けられるサドル本体６と、このサドル本体６（サドル本体６の側面）に多数のボルト（不図示）で着脱可能に取り付けられる定着板７とを備え、多数のボルトを締め付けることにより、サドル本体６と定着板７でケーブル４を挟み込んで定着させるように構成したものがある。このケーブルサドル５では、ケーブル４の滑動力に対し、ケーブル４とサドル本体６及び定着板７との摩擦力で抵抗する。
【０００５】
また、ストラット３とケーブル４の交差部分Ｓ１に設けられるケーブルサドル５には、図１６に示すように、複数の接合板８を備えて形成され、ケーブル４の端部に設けた端部接合金物９を接合板８にボルトで定着させるように構成したものもある。
【０００６】
一方、吊橋などに見られるメインケーブル４ａと境界ケーブル４ｂの接合部分Ｓ２にもケーブルサドル（接合金物）１０が設けられている。そして、この接合部分Ｓ２に設けられるケーブルサドル１０には、図１７に示すように、境界ケーブル４ｂの端部を連結した一方の金物片１１と他方の金物片１２との間にメインケーブル４ａを配設し、一方の金物片１１と他方の金物片１２とをボルト１３（ナット１４）で締め付け、これら一対の金物片１１、１２でメインケーブル４ａを挟み込んで接合するように構成したものがある。
【０００７】
また、図１８に示すように、一方の金物片１１と他方の金物片１２に架設した部材１５に境界ケーブル４ｂを連結し、一方の金物片１１と他方の金物片１２とをボルト１３（ナット１４）で締め付け、一対の金物片１１、１２でメインケーブル４ａを挟み込んで接合するように構成したケーブルサドル１０もある。
【０００８】
さらに、図１９に示すように、断面略コ字状に形成され、側壁部１６にボルト１３（ナット１４）で境界ケーブル４ｂの端部（端部接合金物９）を連結するとともにこのボルト１３を締め付けることにより、互いに対向する一対の側壁部１６の間に挿通配置したメインケーブル４ａを一対の側壁部１６でクランプ保持して接合するように構成したケーブルサドル１０もある。
【先行技術文献】
【特許文献】
【０００９】
【特許文献１】特開２００４−３２４２１４号公報
【発明の概要】
【発明が解決しようとする課題】
【００１０】
しかしながら、図１６に示したストラット３とケーブル４の交差部分Ｓ１に用いるケーブルサドル５においては、ケーブル４の端部に端部接合金物９を設けるため、ケーブル４を短くすることになり、ケーブル４の特長である長尺性を活かすことができない。また、高価な端部接合金物９の個数が多くコストアップになることや、端部接合金物９が大きくデザイン的にきれいに納まらないなどの問題もある。
【００１１】
一方、図１７に示したメインケーブル４ａと境界ケーブル４ｂの接合部分Ｓ２に用いるケーブルサドル１０においては、ボルト１３の引張力（締付力）により長期、短期の力を伝達し、メインケーブル４ａの滑動力に対して抵抗する。そして、このようなボルト１３の引張力で接合する構成では、接合に対する信頼性が十分であるとは言えず、力があまり生じない接合部分Ｓ２にしか適用できない。
【００１２】
また、図１８のケーブルサドル１０においては、ボルト１３の締付力により滑動力に抵抗し、メインケーブル４ａに対して交差する方向に作用する力を、ケーブルサドル（各金物１１、１２）の支圧、曲げ、せん断によって伝達する。そして、この場合には、付加荷重などの金物１１、１２を押し広げようとする力によりボルト１３に軸力が付加されるが、この力の伝達メカニズムが明解でない。このため、ボルト１３の付加軸力を考慮せずに設計しているのが現状であり、やはり信頼性が十分であるとは言えない。
【００１３】
さらに、図１９のケーブルサドル１０においては、メインケーブル４ａをボルト１３の締め付けによってクランプ保持するように構成されているため、メインケーブル４ａの滑動力に対する抵抗があまり期待できず、やはり大きな力が生じない接合部分Ｓ２にしか適用できない。
【００１４】
このように、図１７から図１９に示したメインケーブル４ａと境界ケーブル４ｂの接合部分Ｓ２に用いる従来のケーブルサドル１０で大きな力を処理しようとする場合には、金物とボルト１３の力の伝達メカニズムが必ずしも明解でないが故に、信頼性が十分であるとは言えず、また、ケーブル接合部を合理的に設計できていないという問題がある。
【００１５】
さらに、図１５に示したストラット３とケーブル４の交差部分Ｓ１に用いるケーブルサドル５においても、サドル本体６の側面全体に重ねた状態で定着板７が多数のボルトで取り付けられ、この定着板７とサドル本体６とでケーブル４を挟み込んで定着させるように構成されているため、ケーブル４に張力を導入した状態では、ケーブル４の軸力（付加荷重）を定着板７ひいては多数のボルトに伝達して支持することになる。このため、多数のボルトによる力の伝達メカニズムが明解でなく、図１７から図１９に示した接合部分Ｓ２に用いるケーブルサドル１０と同様の問題がある。
【００１６】
本発明は、上記事情に鑑み、ストラットとケーブルの交差部分やメインケーブルと境界ケーブルの接合部分に適用した場合であっても、力の伝達を明解にし、過度にボルトの締付力に依存することをなくすことができ、屋根架構の信頼性を高め、且つ合理的な設計を可能にする屋根架構用ケーブルサドルを提供することを目的とする。
【課題を解決するための手段】
【００１７】
上記の目的を達するために、この発明は以下の手段を提供している。
【００１８】
本発明の屋根架構用ケーブルサドルは、ケーブルの張力を利用して支持するように構成した屋根架構に用いるケーブルサドルあって、ケーブルを挿通するための貫通孔が形成されたサドル本体と、該サドル本体の前記貫通孔の両開口部の外側にそれぞれ、ボルトによって着脱可能に取り付けられた定着板とを備え、ケーブルの前記貫通孔の開口部から外側に延出した部分を前記ボルトの締め付けとともに前記サドル本体と前記定着板で挟み込んで定着させるように構成されていることを特徴とする。
【００１９】
この発明においては、サドル本体の貫通孔に挿通してケーブルが配設されるため、このケーブルに張力を導入した状態で、ケーブルに生じる軸力がサドル本体（サドル本体の貫通孔を形成する側壁）に支圧力とせん断力として伝達され、さらにこれら支圧力とせん断力がサドル本体への全体曲げモーメントとして作用してサドル本体で支持される。
【００２０】
一方、サドル本体の貫通孔の両開口部の外側にそれぞれ定着板が設けられ、ボルトの締め付けによって定着板とサドル本体の間にケーブルを挟み込んで定着させることにより、ケーブルの滑動力に対する抵抗力を確保することが可能になる。このとき、ケーブルに張力を導入した状態でケーブルに生じる軸力がサドル本体で支持されているため、ケーブルからの付加荷重によるボルト軸力の変動が僅かであり、ボルトにはケーブルの滑動力に対する抵抗力を付与するための締付力のみが生じることになる。
【発明の効果】
【００２１】
本発明の屋根架構用ケーブルサドルにおいては、サドル本体の貫通孔にケーブルを挿通して配設することにより、張力を導入したケーブルから伝達される支圧力とせん断力をサドル本体で支持することができ、これら支圧力とせん断力によってサドル本体への全体曲げモーメントとして支持することが可能になる。
【００２２】
また、ボルトの締め付けによって定着板とサドル本体の間にケーブルを挟み込んで定着させることで、ボルトに、ケーブルの滑動力に対する抵抗力を付与するための締付力のみを作用させ、ケーブルの滑動力に対する抵抗力を確保することが可能になる。
【００２３】
これにより、このようにボルトに曖昧な役割を期待することがなく、力の伝達が明解であるため、従来のケーブルサドルと比較し、信頼性を高めることが可能になるとともに、合理的な設計が可能になる。
【００２４】
また、ケーブルの特長である長尺性を活用しているので、従来の端部接合金物を不要にでき、コスト低減を図ることも可能である。さらに、ケーブルを挿通するための貫通孔を備えてサドル本体を形成すればよく、大きな端部接合金物を不要にすることが可能であるため、デザイン性を高めることも容易になる。
【図面の簡単な説明】
【００２５】
【図１】本発明の一実施形態に係るケーブルサドルを示す斜視図である。
【図２】本発明の一実施形態に係るケーブルサドルをストラットとケーブルの交差部分に用いた状態を示す斜視図である。
【図３】本発明の一実施形態に係るケーブルサドルのサドル本体を示す平面図である。
【図４】図３のＸ１−Ｘ１線矢視図である。
【図５】図４のＸ１−Ｘ１線矢視図である。
【図６】図３のＸ２−Ｘ２線矢視図である。
【図７】図３のＸ３−Ｘ３線矢視図である。
【図８】本発明の一実施形態に係るケーブルサドルの定着板を示す平面図である。
【図９】本発明の一実施形態に係るケーブルサドルの定着板を示す断面図である。
【図１０】本発明の一実施形態に係るケーブルサドルのサドル本体に作用する力の流れを示す図である。
【図１１】本発明の一実施形態に係るケーブルサドルのサドル本体をモデル化した図である。
【図１２】本発明の一実施形態に係るケーブルサドルのモデル化したサドル本体に作用する力（付加荷重）を示す図である。
【図１３】屋根架構を示す図である。
【図１４】屋根架構を示す図である。
【図１５】ストラットとケーブルの交差部分に用いる従来のケーブルサドルを示す図である。
【図１６】ストラットとケーブルの交差部分に用いる従来のケーブルサドルを示す図である。
【図１７】メインケーブルと境界ケーブルの接合部分に用いる従来のケーブルサドルを示す図である。
【図１８】メインケーブルと境界ケーブルの接合部分に用いる従来のケーブルサドルを示す図である。
【図１９】メインケーブルと境界ケーブルの接合部分に用いる従来のケーブルサドルを示す図である。
【発明を実施するための形態】
【００２６】
以下、図１から図１２を参照し、本発明の一実施形態に係る屋根架構用ケーブルサドルについて説明する。
【００２７】
本実施形態のケーブルサドル（屋根架構用ケーブルサドル）Ａは、図１及び図２（図１３及び図１４参照）に示すように、ストラット３とケーブル４の交差部分Ｓ１に用いるケーブルサドルであり、サドル本体２０と定着板２１を備えて構成されている。
【００２８】
そして、サドル本体２０は、図１から図４に示すように、ブロック状に形成されるとともに、平面視（図３）で一端２０ａ側に対し他端２０ｂ、２０ｃ側が２つに分岐するようにして略Ｙ字状に形成されている。また、このサドル本体２０は、一端２０ａ側に端部接合金物９を設けたケーブル４を取り付けるための端部接合金物取付部２２、他端２０ｂ、２０ｃ側にケーブル４を挿通して支持するケーブル挿通支持部２３、上面にストラット３に取り付けるためのストラット取付部２４を備えて形成されている。
【００２９】
端部接合金物取付部２２は、図１、図３から図６に示すように、両側面２２ａ、２２ｂが一端２０ａ側から他端２０ｂ、２０ｃ側に延びる横方向の中心線Ｏ１に沿って形成され、中央に円形のボルト挿通孔２２ｃを備えて、側面視（図２）で略円環状を呈するように形成されている。また、サドル本体２０は、この一端２０ａ側の端部接合金物取付部２２から２つに分岐した両他端２０ｃ、２０ｂ側に向けて延びる側面２０ｄ、２０ｅが内側（サドル本体２０の上下方向の軸線Ｏ２側）に凸の曲面状に形成されている。
【００３０】
ケーブル挿通支持部２３は、２つに分岐した両他端２０ｂ、２０ｃ側に連設して貫通する貫通孔２５を備えて形成されている。また、貫通孔２５はサドル本体２０の上面側と下面側とにそれぞれ形成されている。さらに、各貫通孔２５は、サドル本体２０の前方側の内面がサドル本体２０の軸線Ｏ２側（内側）に凸の円弧状（曲線状）に形成され、貫通孔２５に挿通してケーブルサドルＡに繋ぐケーブル４の配置などに応じた所定の曲率をもって形成されている。
【００３１】
さらに、貫通孔２５は、断面視（図６）で、この貫通孔２５に挿通するケーブル４の直径よりも大径の略円形に形成したケーブル挿通孔部２５ａに、ケーブル４と略同等の径の略半円状に形成したケーブル嵌合孔部２５ｂを繋げた形で形成されている。すなわち、ケーブル嵌合孔部２５ｂは、ケーブル挿通孔部２５ａよりも小径で形成されるとともに、貫通孔２５に挿通したケーブル４が嵌合した際にこのケーブル４の断面略半分が嵌合するように形成されている。
【００３２】
また、サドル本体２０は、図３から図７に示すように、両他端２０ｂ、２０ｃを繋ぎ、これら両他端２０ｂ、２０ｃの間に位置する側面２０ｆが貫通孔２５に沿って内側に凹む曲面状に形成されている。さらに、サドル本体２０は、両他端２０ｂ、２０ｃ側にそれぞれ、すなわち各他端２０ｂ、２０ｃを形成する側面２０ｇ、２０ｈと、端部接合金物取付部２２から各他端２０ｃ、２０ｂ側に向けて延びる側面２０ｄ、２０ｅとの交差部分にそれぞれ、凹所２６を設けて形成されている。そして、貫通孔２５は、ケーブル挿通孔部２５ａの延設方向外側の開口端（貫通孔２５の延設方向Ｔ外側の開口部２５ｃ）が前記延設方向Ｔを向く凹所２６の一側面２６ａに開口し、ケーブル嵌合孔部２５ｂの延設方向Ｔ外側の開口端２５ｄがサドル本体２０の他端２０ｂ、２０ｃを形成する側面２０ｇ、２０ｈに開口して形成されている。すなわち、ケーブル嵌合孔部２５ｂがケーブル挿通孔部２５ａよりも延設方向Ｔ外側に延びて形成され、サドル本体２０の他端２０ｂ、２０ｃを形成する側面２０ｇ、２０ｈ、及びに凹所２６の前記一側面２６ａに交差してこの一側面２６ａとともに凹所２６を形成する他側面２６ｂに開口して、貫通孔２５が形成されている。
【００３３】
また、サドル本体２０の各他端２０ｂ、２０ｃ側には、雌ネジ部を備え、両他端２０ｂ、２０ｃを繋ぐ側面２０ｆから凹所２６の他側面２６ｂに貫通するボルト挿通孔２７が形成されている。このボルト挿通孔２７は、サドル本体２０の上下方向に間隔をあけて複数（本実施形態では図７に示すように４つ）設けられている。
【００３４】
サドル本体２０をストラット３に取り付けるためのストラット取付部２４は、図１から図４、図６に示すように、断面円形に形成され、サドル本体２０の上面から上方に突出して形成されている。そして、サドル本体２０は、このストラット取付部２４をストラット３の下端に係合してストラット３に一体に取り付けられる。
【００３５】
一方、定着板２１は、図１、図８及び図９に示すように、サドル本体２０の各凹所２６に係合するブロック状に形成されている。また、定着板２１は、凹所２６に係合させた状態で、背面２１ａがサドル本体２０の端部接合金物取付部２２から両他端２０ｃ、２０ｂ側に向けて延びる側面２０ｄ、２０ｅと滑らかに繋がり、一側面２１ｂがサドル本体２０の他端２０ｂ、２０ｃを形成する側面２０ｇ、２０ｈと滑らかに繋がるように形成されている。
【００３６】
また、定着板２１は、その内面２１ｃに、背面２１ａ側に凹み、一側面２１ｂから他側面２１ｄまで延びる断面半円状のケーブル押圧孔部２８が設けられている。このケーブル押圧孔部２８は、上下方向の所定位置に間隔をあけて２条設けられている。また、各ケーブル押圧孔部２８は、サドル本体２０の貫通孔２５のケーブル嵌合孔部２５ｂと同径で形成され、定着板２１をサドル本体２０の凹所２６に係合させた状態でケーブル嵌合孔部２５ｂと連通し、断面円形の孔を形成するように設けられている。
【００３７】
さらに、定着板２１には、背面２１ａから内面２１ｃに貫通するボルト挿通孔２９が形成されている。このボルト挿通孔２９は、定着板２１の上下方向に間隔をあけて複数（本実施形態では図９に示すように４つ）設けられている。また、これらボルト挿通孔２９はそれぞれ、定着板２１をサドル本体２０の凹所２６に係合させた状態で、サドル本体２０のボルト挿通孔２７と連通するように設けられている。そして、互いに連通した定着板２１のボルト挿通孔２９とサドル本体２０のボルト挿通孔２７にボルトを挿通し、各ボルトをサドル本体２０のボルト挿通孔２７の雌ネジ部に螺合しつつ締め付けることにより、定着板２１がサドル本体２０の凹所２６（サドル本体２０の貫通孔２５の開口部２５ｃ外側）に一体に取り付けられる。
【００３８】
ついで、上記構成からなるケーブルサドルＡをストラット３とケーブル４の交差部分Ｓ１に用い、ストラット３とケーブル４をこのケーブルサドルＡを介して接合する方法について説明するとともに、本実施形態のケーブルサドルＡの作用及び効果について説明する。
【００３９】
本実施形態のケーブルサドルＡを用いてストラット３とケーブル４を接合する際には、図２に示すように、端部に端部接合金物９を設けたケーブル４を、ボルト（及びナット）によって端部接合金物９をサドル本体２０の端部接合金物取付部２２に取り付けて接合する。また、長尺のケーブル４をケーブル挿通支持部２３の貫通孔２５に挿通する。
【００４０】
そして、サドル本体２０のストラット取付部２４をストラット３の下端に係合させて、ストラット３にサドル本体２０を取り付ける。ついで、サドル本体２０に取り付けた各ケーブル４に張力を導入する。このとき、ケーブル挿通支持部２３の貫通孔２５に挿通した長尺のケーブル４は、貫通孔２５のケーブル嵌合孔部２５ｂに断面略半分が嵌合する。
【００４１】
このようにケーブル４に張力を導入した段階で、サドル本体２０の凹所２６に定着板２１を係合させ、互いに連通した定着板２１のボルト挿通孔２９とサドル本体２０のボルト挿通孔２７にボルトを挿通する。また、このボルトをサドル本体２０のボルト挿通孔２７の雌ネジ部に螺合しつつ所定の締付力で締め付ける。これにより、定着板２１がサドル本体２０の凹所２６に一体に取り付けられるとともに定着板２１のケーブル押圧孔部２８にケーブル４が嵌合し、ケーブル４の貫通孔２５の開口部２５ｃから外側に延出した部分が、ボルトの締め付けとともに定着板２１とサドル本体２０で挟み込まれて定着する。
【００４２】
そして、このようにケーブル４に張力を導入すると、図１０に示すように、貫通孔２５に挿通して配設したケーブル４に生じる軸力がサドル本体２０（サドル本体２０の貫通孔２５を形成する側壁２３ａ）に支圧力とせん断力として伝達される。
【００４３】
ここで、図１１は、本実施形態のサドル本体２０（ケーブルサドルＡ）をモデル化した図である。そして、このモデル化した本実施形態のサドル本体２０に、貫通孔２５に挿通したケーブル４に生じる軸力が支圧力とせん断力として伝達される場合には、図１２に示すように、サドル本体２０の貫通孔２５を形成する側壁２３ａに、この支圧力とせん断力の付加荷重が確実に分布荷重として作用する。このため、ケーブル４に生じる軸力は、支圧力とせん断力として伝達され、全体曲げモーメントとして作用してサドル本体２０に支持されることになる。また、ケーブル４に生じる軸力は、図１０に示すように、ケーブル挿通支持部２３から端部接合金物取付部２２に伝達され、端部接合金物取付部２２に接合したケーブル４に伝達されてゆく。
【００４４】
一方、サドル本体２０の貫通孔２５の両開口部２５ｃの外側にそれぞれ定着板２１が設けられ、ボルトの締め付けによって定着板２１とサドル本体２０の間にケーブル４を挟み込んで定着されている。このため、ケーブル４の滑動力に対する抵抗力がボルトの締付力に応じて生じるケーブル４と、定着板２１及びサドル本体２０との摩擦力によって確保される。
【００４５】
また、このとき、ケーブル４に張力を導入した状態でケーブル４に生じる軸力がサドル本体２０で支持されているため、ケーブル４からの付加荷重によるボルト軸力の変動は僅かである。このため、定着板２１とサドル本体２０とを締め付けるボルトにはケーブル４の滑動力に対する抵抗力を付与するための締付力のみが生じることになる。
【００４６】
したがって、本実施形態のケーブルサドルＡにおいては、サドル本体２０の貫通孔２５にケーブル４を挿通して配設することにより、張力を導入したケーブル４から伝達される支圧力とせん断力をサドル本体２０で支持することができ、これら支圧力とせん断力によってサドル本体２０への全体曲げモーメントとして支持することが可能になる。
【００４７】
また、ボルトの締め付けによって定着板２１とサドル本体２０の間にケーブル４を挟み込んで定着させることで、ボルトに、ケーブル４の滑動力に対する抵抗力を付与するための締付力のみを作用させ、ケーブル４の滑動力に対する抵抗力を確保することが可能になる。
【００４８】
これにより、ボルトに曖昧な役割を期待することがなく、力の伝達が明解になるため、従来のケーブルサドルと比較し、過度にボルトの締付力に依存することをなくすことができ、屋根架構１の信頼性を高めることが可能になるとともに、合理的な設計が可能になる。
【００４９】
また、このようなケーブルサドルＡにおいては、ケーブル４の特長である長尺性を活用しているので、従来の端部接合金物を不要にでき、コスト低減を図ることも可能である。さらに、ケーブル４を挿通するための貫通孔２５を備えてサドル本体２０を形成すればよく、大きな端部接合金物９を不要にすることが可能であるため、デザイン性を高めることも容易になる。
【００５０】
以上、本発明に係るケーブルサドルの一実施形態について説明したが、本発明は上記の一実施形態に限定されるものではなく、その趣旨を逸脱しない範囲で適宜変更可能である。例えば、本実施形態では、ストラット３とケーブル４の交差部分Ｓ１に用いるケーブルサドルＡであるものとして説明を行ったが、本発明に係るケーブルサドルは、サドル本体２０にケーブル４を挿通して支持するための貫通孔２５を備え、さらにケーブル４の貫通孔２５の開口部２５ｃの外側に延出した部分を定着させるための定着板２１を備えて構成されていればよい。そして、このように構成することで、例えば貫通孔２５にメインケーブル４ａを挿通し、サドル本体２０に適宜手段で境界ケーブル４ｂを連結するようにしても、本実施形態と同様の作用効果を得ることが可能である。よって、本発明に係るケーブルサドルは、メインケーブル４ａと境界ケーブル４ｂの接合部分Ｓ２にも好適に用いることが可能である。
【符号の説明】
【００５１】
１      屋根架構
２      屋根フレーム
３      ストラット（束柱）
４      ケーブル
４ａ    メインケーブル
４ｂ    境界ケーブル
５      従来のケーブルサドル（接合金物）
１０    従来のケーブルサドル（接合金物）
２０    サドル本体
２０ａ  一端
２０ｂ  他端
２０ｃ  他端
２１    定着板
２２    端部接合金物取付部
２３    ケーブル挿通支持部
２４    ストラット取付部
２５    貫通孔
２５ａ  ケーブル挿通孔部
２５ｂ  ケーブル嵌合孔部
２５ｃ  開口部
２６    凹所
２５ｂ  ケーブル押圧孔部
２７    ボルト挿通孔
２８    ケーブル押圧孔部
２９    ボルト挿通孔
Ａ      ケーブルサドル（屋根架構用ケーブルサドル）
Ｏ１    サドル本体の横方向の中心線
Ｏ２    サドル本体の上下方向の軸線
Ｓ１    ストラットとケーブルの交差部分
Ｓ２    メインケーブルと境界ケーブルの接合部分
Ｔ      貫通孔の延設方向
【図１】
2011017191.tif 000003
【図２】
2011017191.tif 000004
【図３】
2011017191.tif 000005
【図４】
2011017191.tif 000006
【図５】
2011017191.tif 000007
【図６】
2011017191.tif 000008
【図７】
2011017191.tif 000009
【図８】
2011017191.tif 000010
【図９】
2011017191.tif 000011
【図１０】
2011017191.tif 000012
【図１１】
2011017191.tif 000013
【図１２】
2011017191.tif 000014
【図１３】
2011017191.tif 000015
【図１４】
2011017191.tif 000016
【図１５】
2011017191.tif 000017
【図１６】
2011017191.tif 000018
【図１７】
2011017191.tif 000019
【図１８】
2011017191.tif 000020
【図１９】
2011017191.tif 000021